(57)【要約】【課題】  高級感を有するチタンを用いて金属瓦を形成しているにも拘らず、強度を低下させることなくコストダウンを図ることができるようにする。【解決手段】  金属瓦５を、チタン製の薄板材を成形加工して形成される表面材７と、表面材７の裏面に一体に固着された合成樹脂製の補強材８とで構成する。補強材８を用いて表面材７を補強することで、表面材７の板厚を薄くしても、金属瓦５として要求される強度を確保できるようにする。屈曲片７ａは、ステンレス釘等を用いて下地桟木にビス止めされる部分であるが、この部分の補強材８の板厚Ｗ２を、他の部分の板厚Ｗ１よりも厚くする。【選択図】        図２
0003106299.tif 000002
【実用新案登録請求の範囲】
【請求項１】
チタン製の薄板材を成形加工して形成される表面材と、表面材の裏面側に一体に固着された非金属製の補強材とを具備することを特徴とする金属瓦。
【請求項２】
表面材は、一端縁にビス止めするための下方への屈曲片を備え、屈曲片に対応する補強材は、他の部分の厚さよりも厚く形成されていることを特徴とする請求項１記載の金属瓦。
【請求項３】
表面材は、一端縁にビス止めするための下方への屈曲片を備え、屈曲片近傍の補強材は、他の部分の補強材よりも強度の高い素材で形成されていることを特徴とする請求項１記載の金属瓦。
【請求項４】
補強材は、高い断熱性を有する素材で形成されていることを特徴とする請求項１、２または３記載の金属瓦。
【考案の詳細な説明】
【技術分野】
【０００１】
本考案は金属瓦に係り、特にチタン製の薄板材を表面材として用いた金属瓦に関する。
【背景技術】
【０００２】
従来から、カラー鋼材やステンレス鋼材を形成加工して形成される金属瓦は一般に知られており、多くの家屋の屋根瓦として使用されている。
【特許文献１】特公昭４９−４３１８６号公報
【考案の開示】
【考案が解決しようとする課題】
【０００３】
ところで、金属瓦は、粘土瓦やセメント瓦等に比較して軽量であるため、屋根の重量を軽くすることができると云う利点を有しているが、反面薄板構造であるため、雨音に対する静粛性や断熱性に欠けると云う問題がある。特に、高級感を出すためにチタンを用いた場合、チタンは高価で板厚を薄くせざるを得ないため、この傾向が著しい。また、板厚を薄くした場合、ビス止め部分の強度が弱くなり、強風の際に、金属瓦が捲れ上がるおそれがあると云う問題もある。
【０００４】
そこで一部では、屋根の野地板上に所定間隔で配される下地桟木間に、バックアップ材を配して金属瓦の裏面が可及的屋根表面に接するようにする試みもなされているが、バックアップ材を配した分だけコスト高となるとともに、バックアップ材を配しても、バックアップ材と金属瓦とは別体構造であるため、雨音に対する静粛性に対しては、それほど大きな効果は期待できず、またビス止め部分の強度不足については、全く効果がないと云う問題がある。
【０００５】
本考案は、かかる現況に鑑みなされたもので、表面材として板厚の薄いチタンを用いた場合であっても、雨音に対して充分な静粛性が得られるとともに、強度も向上させることができ、また断熱性能の向上および衝撃に対する変形も防止することができる金属瓦を提供することを目的とする。
【０００６】
本考案の他の目的は、特にビス止め部分の強度を向上させて、暴風雨の際にも瓦の捲くれ上がりを完全に防止することができ、しかもコストの上昇を可能な限り抑えることができる金属瓦を提供するにある。
【０００７】
本考案のさらに他の目的は、補強材の断熱性能をより向上させて、バックアップ材を省略することができる金属瓦を提供するにある。
【課題を解決するための手段】
【０００８】
前記目的を達成するため本考案は、チタン製の薄板材を成形加工して形成される表面材と、表面材の裏面側に一体に固着された非金属製の補強材とで金属瓦を構成するようにしたことを特徴とする。
【０００９】
本考案はまた、表面材の一端縁に、ビス止めするための下方への屈曲片を設け、屈曲片に対応する補強材を、他の部分の厚さよりも厚く形成するようにしたことを特徴とする。
【００１０】
本考案はまた、表面材の一端縁に、ビス止めするための下方への屈曲片を設け、屈曲片近傍の補強材を他の部分の補強材よりも強度の高い素材で形成するようにしたことを特徴とする。
【００１１】
本考案はさらに、補強材を、高い断熱性を有する素材で形成するようにしたことを特徴とする。
【考案の効果】
【００１２】
本考案は、チタン製の薄板材を成形加工して形成される表面材と、表面材の裏面側に一体に固着された非金属製の補強材とで金属瓦を構成するようにしているので、表面材を、０．２〜０．５ｍｍ厚程度の薄板で形成した場合であっても、表面材が補強材で補強され、ビス止め部分の強度を向上させることができる。また、表面材が補強材で補強されるので、雨音に対する静粛性や断熱性を向上させることができる。特に、金属瓦の場合、金属板の板厚を厚くしても、雨音に対する静粛性の向上はそれほど期待できないが、非金属製の補強材で表面材を補強することで、雨音に対する静粛性を大幅に向上させることができる。
【００１３】
本考案はまた、表面材の一端縁に、ビス止めするための下方への屈曲片を設け、屈曲片に対応する補強材を、他の部分の厚さよりも厚く形成するようにしているので、ビス止め部分の強度を大幅に向上させることができる。
【００１４】
本考案はまた、表面材の一端縁に、ビス止めするための下方への屈曲片を設け、屈曲片近傍の補強材を、他の部分の補強材よりも強度の高い素材で形成するようにしているので、補強材の厚さを厚くすることなく、所定の強度を確保することができる。
【００１５】
本考案はさらに、補強材を高い断熱性を有する素材で形成するようにしているので、下地桟木間に配置されるバックアップ材を省略してコストダウンを図ることができる。
【考案を実施するための最良の形態】
【００１６】
以下、本考案を図面を参照して説明する。
図１は、本考案の第１の実施の形態に係る金属瓦が適用された屋根を示すもので、図中、符号１は屋根の野地板であり、この野地板１上には、ルーフィング２を配した後に、一定間隔で下地桟木３が固定されるとともに、下地桟木３間には、例えば発泡スチロール製のバックアップ材４が配設されるようになっている。そして、本考案に係る金属瓦５は、下地桟木３およびバックアップ材４の上面側に、軒先側から主棟側に向かって順次配置され、例えばステンレス釘６等を用いて下地桟木３にビス止めされるようになっている。
【００１７】
前記金属瓦５は、図２に示すように、０．２〜０．５ｍｍ厚程度のチタン製の薄板材を成形加工して形成される表面材７を備えており、この表面材７の軒先側の端縁には、ビス止めするための下方への屈曲片７ａが設けられているとともに、表面材７の主棟側の端縁には、下地桟木３上に配置される設置部７ｂが設けられている。
【００１８】
前記表面材７の裏面側全域には、図２に示すように、非金属製の補強材８が、吹付けあるいは接着等の方法により一体に固定されている。
【００１９】
この補強材８は、例えばポリウレタン、ポリスチロール等の合成樹脂あるいはその発泡体で形成されており、屈曲片７ａ以外の部分に対応する位置の板厚Ｗ１は、例えば２〜１０ｍｍ厚程度に設定され、一方屈曲片７ａに対応する部分の板厚Ｗ２は、例えば５〜１５ｍｍ厚程度に設定されている。すなわち、屈曲片７ａに対応する補強材８は、他の部分の厚さよりも厚く形成されている。そしてこれにより、下地桟木３にビス止めされる屈曲片７ａ部分の強度を部分的に向上させることができ、表面材７を薄板のチタン材で形成した場合であっても、所期の強度を確保できるようになっている。
【００２０】
次に、本実施の形態の作用について説明する。
金属瓦５の設置に際しては、まず屋根の野地板１上にルーフィング２を敷設するとともに、その上面側に下地桟木３を所定間隔で取付け、下地桟木３間には、バックアップ材４を配置する。
【００２１】
なお、既存屋根のリニューアルとして金属瓦５を設定する場合もあるが、その場合には、既存屋根上にルーフィング２を敷設し、前記同様の手順で下地桟木３およびバックアップ材４を設定する。
【００２２】
このようにしてバックアップ材４を配置した後、その上面側に軒先側から主棟側に向かって金属瓦５を順次配置し、各金属瓦５の屈曲片７ａを、ステンレス釘６を用いて下地桟木３にビス止めする。
【００２３】
しかして、金属瓦５は、表面材７と補強材８とで構成されているので、表面材７を薄いチタン板で形成した場合であっても、補強材８で表面材７を補強することができ、金属瓦５として要求される所期の強度を確保することができる。
【００２４】
また、補強材８は、各所同一厚ではなく、屈曲片７ａに対応する部分だけ厚くなっているので、厚くなった分だけ屈曲片７ａの強度を向上させることができる。このため、暴風雨の際にも、金属瓦５の捲れ上がりを完全に防止することができる。
【００２５】
また、一般的な金属瓦の場合には、その板厚を厚くしても、雨音に対して充分な静粛性は得られないが、本実施の形態における金属瓦５の場合には、表面材７の裏面側を、合成樹脂製の補強材８で裏打ちしているので、雨音に対して極めて高い静粛性を得ることができる。
【００２６】
図３は、本考案の第２の実施の形態を示すもので、屈曲片７ａ近傍の補強材１８を、他の部分の補強材８よりも強度の高い素材で形成するようにしたものである。
【００２７】
すなわち、補強材８は、前述のようにポリウレタン、ポリスチロールあるいはその発泡体で形成されており、一方補強材１８はこれらよりも強度の高い例えばポリ塩化ビニールあるいはその発泡体で形成されている。
なお、その他の点については、前記第１の実施の形態と同一構成となっており、作用も同一である。
【００２８】
しかして、屈曲片７ａ近傍の補強材１８を、他の部分の補強材８よりも強度の高い素材で形成しているので、補強材１８の板厚を厚くすることなく、所期の強度を確保することができる。
【００２９】
なお、前記両実施の形態においては特に説明してなかったが、補強材８、１８を、より高い断熱性能を有する素材で形成するようにしてもよい。その方法の一例としては、合成樹脂の発泡率を上げることが考えられる。そしてこれにより、金属瓦５の断熱性能を向上させることができ、バックアップ材４を省略してコストダウンを図ることができる。
【産業上の利用可能性】
【００３０】
以上のように、本考案に係る金属瓦は、チタン製の高級な金属瓦として有用であり、特に高価なチタンを用いているにも拘らず、強度を低下させることなくコストダウンを図ることができる金属瓦として適している。
【図面の簡単な説明】
【００３１】
【図１】本考案の第１の実施の形態に係る金属瓦が適用された屋根を示す構成図である。
【図２】図１の金属瓦の詳細図である。
【図３】本考案の第２の実施の形態を示す図２相当図である。
【符号の説明】
【００３２】
１          野地板
２          ルーフィング
３          下地桟木
４          バックアップ材
５          金属瓦
６          ステンレス釘
７          表面材
７ａ        屈曲片
７ｂ        設置部
８、１８    補強材
Ｗ１、Ｗ２  板厚
【図１】
0003106299.tif 000003
【図２】
0003106299.tif 000004
【図３】
0003106299.tif 000005